(57)【要約】【課題】  マーカーを万引き検出装置から離れた位置でも検出可能にする。【解決手段】  容器（２）と、容器（２）の内部に収納されたタバコ商品（４）の一群（３）と、マーカー（２４）とを具備し、このマーカー（２４）は、容器（２）の内部に収納されると共に、予め決められた共鳴周波数で共鳴する共鳴体を有し、マーカー（２４）を、周波数が共鳴周波数とほぼ等しい電磁場を利用して万引き検出装置により遠隔的に検出することが可能になっている包装体。【選択図】      図１
2004196423.tif 000002
【特許請求の範囲】
【請求項１】
容器（２）と、該容器（２）の内部に収納されたタバコ商品（４）の一群（３）と、該容器（２）の内部に収納された少なくとも一つのマーカー（２４）とを具備した、タバコ商品の包装体において、マーカー（２４）が予め決められた共鳴周波数で音響的に共鳴する磁気共鳴手段を具備し、該マーカー（２４）を、周波数が共鳴周波数とほぼ等しい磁場を利用して万引き検出装置により遠隔的に検出することが可能になっている包装体。
【請求項２】
前記マーカー（２４）を支持するラベル（２５）を具備した請求項１に記載の包装体。
【請求項３】
前記ラベル（２５）を前記容器（２）の内表面に接着した請求項２に記載の包装体。
【請求項４】
タバコ商品（４）の一群（３）を包む箔状包被材料シート（５）を具備し、前記ラベル（２５）を箔状包被材料シート（５）の外表面に接着した請求項２に記載の包装体。
【請求項５】
前記容器（２）が、開放頂端（６）と、ヒンジ（８）に沿い容器（２）に蝶着されて該開放頂端（６）を開口する開位置と閉鎖する閉位置との間を容器（２）に関し回動する蓋（７）とを有し、Ｕ字状に折り曲げられて容器（２）の内側に接続されると共に、開放頂端（６）の外側に部分的に延びて蓋（７）が閉位置にあるときに蓋（７）の対応する内表面に係合するカラー（１５）を設け、前記ラベル（２５）を該カラー（１５）の壁面に接着した請求項２に記載の包装体。
【請求項６】
前記ラベル（２５）を、前記カラー（１５）の壁面と前記容器（２）の壁面間に介在するようにカラー（１５）の壁面に接着した請求項５に記載の包装体。
【請求項７】
前記容器（２）が、概ね平行六面体形状であると共に、底端壁（１１）と、該底端壁（１１）により境界決めされかつ前方および後方の二つの大側壁（１３、１４）と二つの小側壁（１２）とによって画定された側面（９）とを具備し、前記ラベル（２５）を該底端壁（１１）の内面に接触するように配置した請求項２から６までのいずれか一項に記載の包装体。
【請求項８】
前記容器（２）が、概ね平行六面体形状であると共に、底端壁（１１）と、該底端壁（１１）により境界決めされかつ前方および後方の二つの大側壁（１３、１４）と二つの小側壁（１２）とによって画定された側面（９）とを具備し、前記ラベル（２５）を該小側壁（１２）の内面に接触するように配置した請求項２から６までのいずれか一項に記載の包装体。
【請求項９】
前記容器（２）が、概ね平行六面体形状であると共に、底端壁（１１）と、該底端壁（１１）により境界決めされかつ前方および後方の二つの大側壁（１３、１４）と二つの小側壁（１２）とによって画定された側面（９）とを具備し、前記ラベル（２５）を該大側壁（１３；１４）の内面に接触するように配置した請求項２から６までのいずれか一項に記載の包装体。
【請求項１０】
前記タバコ商品の一群を、シガレット小包体の一群から構成した請求項１から１１までのいずれか一項に記載の包装体。
【請求項１１】
前記タバコ商品（４）の一群（３）を、シガレット（４）の一群（３）から構成した請求項１から１１までのいずれか一項に記載の包装体。
【請求項１２】
前記タバコ商品（４）の一群（３）をシガレット（４）の一群（３）から構成し、各シガレット（４）が、包被材料シート（２７）に包まれた棒状タバコ（２６）であって、対応する接続片（２９）によりその一端がフィルタ（２８）に接続されている棒状タバコ（２６）を具備し、前記マーカー（２４）をシガレット（４）の一群（３）のうちの少なくとも一つのシガレット（４）に組み込んだ請求項１に記載の包装体。
【請求項１３】
前記マーカー（２４）をシガレット（４）の前記フィルタ（２８）の内部に配置した請求項１２に記載の包装体。
【請求項１４】
前記マーカー（２４）をシガレット（４）の前記フィルタ（２８）周りに巻きつけた請求項１２に記載の包装体。
【請求項１５】
前記マーカー（２４）を、前記棒状タバコ（２６）をシガレット（４）の前記フィルタ（２８）に接続する前記接続片（２９）により支持した請求項１２に記載の包装体。
【請求項１６】
前記マーカー（２４）をシガレット（４）の棒状タバコ（２６）の内部に配置した請求項１２に記載の包装体。
【請求項１７】
前記マーカー（２４）が、磁性マーカーに取り付けられて該磁性マーカーを作動可能および作動不能にするイネーブル／ディスエーブル体を具備した請求項１から１６までのいずれか一項に記載の包装体。
【請求項１８】
前記マーカー（２４）が、互いに離間して配置された複数の磁性材料セグメントを備える支持要素を具備した請求項１から１６までのいずれか一項に記載の包装体。
【請求項１９】
各セグメントが、周波数が音響音−超音波領域にある磁場を受けたときに振動し、周波数がより低い戻り磁場の形でエネルギを発する配向磁気双極子である請求項１８に記載の包装体。
【請求項２０】
前記マーカー（２４）は、前記セグメントの磁性方向を変更する磁場を受けたときには作動不能である請求項１９に記載の包装体。
【請求項２１】
前記マーカー（２４）が、互いに離間して配置された三つの磁性材料セグメントを備える支持要素を具備した請求項１８、１９および２０に記載の包装体。
【請求項２２】
容器（２）と、該容器（２）の内部に収納されたシガレット（４）の一群（３）と、該容器（２）の内部に収納された少なくとも一つのマーカー（２４）であって、電場、磁場、または電磁場により遠隔的に検出可能なマーカー（２４）とを具備し、各シガレット（４）が、包被材料シート（２７）に包まれた棒状タバコ（２６）であって、対応する接続片（２９）によりその一端がフィルタ（２８）に接続されている棒状タバコ（２６）を具備した包装体において、マーカー（２４）をシガレット（４）の一群（３）のうちの少なくとも一つのシガレット（４）に組み込んだ包装体。
【請求項２３】
前記マーカー（２４）をシガレット（４）の前記フィルタ（２８）の内部に配置した請求項２２に記載の包装体。
【請求項２４】
前記マーカー（２４）をシガレット（４）の前記フィルタ（２８）周りに巻きつけた請求項２２に記載の包装体。
【請求項２５】
前記マーカー（２４）を、前記棒状タバコ（２６）をシガレット（４）の前記フィルタ（２８）に接続する前記接続片（２９）により支持した請求項２２に記載の包装体。
【請求項２６】
前記マーカー（２４）をシガレット（４）の棒状タバコ（２６）の内部に配置した請求項２２に記載の包装体。
【発明の詳細な説明】
【技術分野】
【０００１】
本発明は、タバコ商品の包装体に関する。
【背景技術】
【０００２】
下記の説明では、簡略化しかつ単なる例を挙げるために、シガレット（巻きタバコ）小包体に言及する。
【０００３】
欧州特許出願第０９６７１６１号明細書、欧州特許出願第１２４８７３７号明細書、欧州特許出願第１２５０２７２号明細書、欧州特許出願第１２５５６７６号明細書、および欧州特許出願第１２５５６８４号明細書に記載のように、小包体の履歴と特徴とのうち少なくとも一方に関する情報を含み、透明プラスチック製の上包みかまたはシガレット小包体の内壁もしくは外壁に、典型的には接着される磁性片が、内側または外側に組み込まれているシガレット小包体が提案されている。実際の使用では、磁性片に蓄積されたデータは、磁性片が通信装置の読み取り面に対向し実質的に接触するように小包体を配置することにより、通信装置によって読み取られ、場合によっては変更され、典型的には、シガレット小包体を自動的に識別するための、または各小包体の「履歴」をその内部に蓄積するための、または小包体の出所を明確に特定することにより模造品を防止するための、バーコードの代わりに使用される（この場合、小包体に蓄積されるデータを暗号化しなければならいことは明らかである）。
【０００４】
現在、シガレット小包体は一般にセルフサービスの店舗で販売されており、すなわち小包体は自由に接近可能な棚から消費者によって取り出され、その支払は出口の清算台で行われる。このような店舗では、万引きの常習犯およびシガレット小包体の購入を許されていない消費者（典型的には未成年者）の両者によるシガレット小包体の万引き被害を受ける傾向が顕著であるので、各シガレット小包体に万引き検出装置として磁性片を使用する試みがなされている。しかし、今までのところ、小包体上の磁性片は、通信装置から５〜１０センチメートルの領域内でのみ読取り可能であり、磁場を遮断する導電性金属要素たとえばアルミニウム箔で小包体を包むことにより無効すなわち検出不能となるため、この試みは実質的には成功していない。
【０００５】
米国特許出願公開第２００２０４７１０７号明細書には、少なくとも二つの導電層とこれら導電層間に形成された少なくとも一つの絶縁層とを有する製品センサが組み込まれた製品包装体が開示されている。これらの導電層および絶縁層は印刷、好ましくはセリグラフィー（シルクスクリーン）により、導電層には導電インクを使用して作成される。
【０００６】
欧州特許第１２３６６５０号明細書には、トレイ、蓋、カートン容器などの板紙製包装体であって、板紙と一体化された使い捨て式ＲＦ−ＥＡＳ（電波式電気商品監視）安全タグを有する包装体が開示される。
【０００７】
欧州特許出願公開第０６７３００７号明細書には、それ自体の存在が検出されうる電磁気センサ材料が組み込まれている商品が開示される。タグ材料および商品が合流通路に沿って搬送され、タグに接続された感圧粘着テープの粘着剤によって商品に接着されると、タグがタグ材料から切り出される。
【０００８】
本発明は、上記欠点を解消するように構成されるタバコ商品の包装体であって、同時に安価であり製造の容易なタバコ商品の包装体を提供することを目的とする。
【０００９】
本発明によれば、請求項１に記載されたタバコ商品の包装体が提供される。
【００１０】
さらに、本発明によれば、請求項２２に記載されたタバコ商品の包装体が提供される。
【００１１】
本発明を限定することのない多数の本発明の実施例を、一例として、添付図面を参照しながら説明する。
【００１２】
図１の符号１は、カップ形状の容器２と、平行六面体形状のシガレット４の群３であって箔状包被材料シート５に包まれかつ容器２内に収納されている群３と、を具備したシガレット硬質小包体全体を示している。容器２は、開放頂端６と、ヒンジ８に沿い容器２に蝶着されて開放頂端６を開放する開位置（図２）と閉鎖する閉位置（図１および図３）との間を容器２に関し回動するカップ形状の蓋７と、を具備する。
【００１３】
閉位置では、容器２は蓋７によって、側面９と、平坦で同一形状の二つの頂端壁１０および底端壁１１であって互いに対向し平行でかつ側面９と境界を接する壁１０，１１とによって画成される概ね直方体形状をなすことになる。
【００１４】
側面９は、互いに対向しかつ平行な二つの平坦な小（副）側壁１２と、小側壁１２に交差しかつ互いに対向する二つの平坦な大（主）側壁１３，１４とを具備する。さらに詳細には、一方の大側壁１３は容器２の前方壁を画定し、他方の大側壁１４は容器２の後方壁を画定している。
【００１５】
また、小包体１はカラー１５を具備し、このカラー１５はＵ字状に折り曲げられて容器２の内側に接続（接着）され、それにより開放頂端６の外側に部分的に延びて蓋７が閉位置（図１）にあるときに蓋７の対応する内表面に係合するようにされている。
【００１６】
小側壁１２と大側壁１３，１４との間に四つの長手方向縁１６が画定されており、端壁１０，１１と側壁１２，１３，１４との間に八つの横方向縁１７が画定されている。
【００１７】
図４に示されるように、容器２は実質的に細長い矩形形状の、対応する平坦なブランク１８から形成され、その構成部品は可能な場合には、容器２の対応する部品についての参照符号に上付き文字を付したものを使用して示されている。
【００１８】
（長手方向中心線１９を有する）ブランク１８は、二つの長手方向折り目線２０と、複数の横方向折り目線２１とを具備し、これら横方向折り目線２１は二つの長手方向折り目線２０間に、前方壁１３の頂部（特に、蓋７の一部を形成する部分）を画定するパネル１３’と、頂端壁１０を画定するパネル１０’と、後方壁１４を画定するパネル１４’と、底端壁１１を画定するパネル１１’と、前方壁１３の底部を画定するパネル１３”とを画定する。
【００１９】
各パネル１３’，１３”，１４’は、パネル１３’，１３”，１４’の両側に配置されて長手方向折り目線２０によりパネル１３’，１３”，１４’から区画された二つの横翼部１２’，１２”を有する。パネル１３’は補強フラップ２２を有し、パネル１４’の各翼部１２’，１２”は、翼部１２’，１２”の両端に配置されて互いに長手方向に整列された矩形の長手方向付属片２３を有する。
【００２０】
各小包体１を形成するとき、横翼部１２’および横翼部１２”はそれぞれ互いに重ね合わされかつ接着されて容器２の小側壁１２を画定し、各長手方向付属片２３は関連する横翼部１２’または１２”に対し直角に折り曲げられ、関連するパネル１０’または１１’の内表面上に重ね合わされかつ接着されて小包体１の対応する端壁１０または１１の内側部分を画定する。
【００２１】
小包体１は容器２内部に収容された少なくとも一つのマーカー２４を具備し、このマーカー２４は、予め決められた共鳴周波数で共鳴（共振）する共鳴手段を具備し、２５ｃｍを超える距離（典型的には、少なくとも６０〜７０ｃｍ）で、周波数が前記予め決められた共鳴周波数にほぼ等しい電磁場により、このマーカー２４を検出することができる。図１，２，３に示されるように、マーカー２４は、たとえばプラスチック材料または紙材料で作成されて容器２内部に収容された極薄ラベル２５によって支持されている。
【００２２】
ラベル２５を、容器２の底端壁１１の内表面に接触するように位置決めしてもよい。または、ラベル２５を、容器２の小側壁１２の内表面に接触するか、容器２の大側壁１３または１４の内表面に接触するように、位置決めしてもよい。変更可能な実施例では、ラベル２５を、容器２の内表面か、箔状包被材料シート５の外表面に接着することもできる。図４には、ラベル２５を接着できるさまざまな位置が点線で示されている。
【００２３】
図５に示されるように、ラベル２５は、カラー１５の壁面と容器２の壁面との間に介在するように、カラー１５の壁面に接着される。
【００２４】
容器２の形状を、たとえば長手方向縁１６と横方向縁１７とのうちの一方または両方を湾曲しまたは傾斜させることにより、変更できることは明らかである。あるいは、容器２は平行六面体形状以外でもよく、たとえば断面が楕円形状または矩形形状であってもよい。
【００２５】
図６に示されるように、各シガレット４は、包被材料シート２７に包まれかつ一端が接続片２９によりフィルタ２８に接続された棒状タバコ２６を具備し、小包体１のマーカー２４は、容器２に固定されるのと対照的に、群３の形のシガレット４の少なくとも一つに組み込まれる。さらに詳細には、マーカー２４を、シガレット４のフィルタ２８の内部に収納してもよいし、シガレット４のフィルタ２８周りに巻き付けてもよいし、接続片２９によって支持させてもよいし、シガレット４の棒状タバコ２６内に収納してもよい。
【００２６】
第１の実施例において、マーカー２４は磁性マーカーから構成され、この磁性マーカーは、共鳴周波数の磁場を受けて作動されると、音響的に共鳴する。たとえば、マーカーを強磁性体に隣接配置された磁歪強磁性材料片から構成することもでき、この強磁性体は磁化されると磁気的に分極し、磁歪強磁性材料片を音響的に作動させて音響的に共鳴させる。あるいは、マーカーを、互いに重ね合わされた複数枚の磁性シートから構成し、Ｎ極磁性配列体とＳ極磁性配列体とが交互になるように各磁性シートに磁極を与えるようにすることもできる。
【００２７】
好ましい実施例によれば、マーカー２４は、互いに離間して配置された三つの磁性材料セグメントが備えられた支持要素を具備し、各セグメントは、周波数が音響音−超音波領域にある磁場を受けたときに振動し、周波数がより低い戻し磁場の形でエネルギを発する配向磁気双極子である。セグメントの磁性方向を変更する磁場を受けたときには、マーカー２４は作動しない。
【００２８】
変更可能な実施例では、マーカー２４は、誘導子およびコンデンサを有する電気回路であって、共鳴周波数の電磁場を受けたときに共鳴する電気回路から構成される。
【００２９】
さらに変更可能な実施例では、マーカー２４は、共鳴周波数の電磁場を受けるアンテナシステムを有する応答装置から構成される。
【００３０】
最後に、マーカー２４を一つ以上のワイヤ（たとえば、ＰＣＴ国際公開第０１５３５７５号Ａ１明細書に開示された型式のもの）から構成してもよく、各ワイヤは共鳴周波数の磁場を受けたときに共鳴すると共に、織物繊維と、弱い強磁性特性または磁歪特性を備えた非晶質磁性材料繊維との組み合わせからなっている。ワイヤは、きわめて細く（直径約３０マイクロメートル）、機械的に強く、完全に曲がりやすく、化学的に耐性がある。さまざまな型式の織物繊維、たとえば天然繊維（綿、羊毛）、合成繊維（ポリエステル、ポリアミド、ポリプロピレン、ナイロン）、半合成繊維、を使用することができる。認識機能ワイヤを、ワイヤの遠隔認識を作動可能または作動不能にするイネーブル／ディスエーブル要素に取り付けてもよい。ワイヤを使用すると、マーカー２４を上述のようにシガレット４に組み込んだときに、特に有利である。
【００３１】
これまで述べてきたシガレット小包体１の遠隔検出が効果的であることが種々の試験によって確認されており、これら試験により、１メートルの距離でさえもマーカー２４を読取装置で検出可能であることが示されている。さらに、マーカー２４は、外部から認識できないように配置され、認識されたとしても結局は取り外すことができないように配置される。最後に、磁場によって実質的に作動されるマーカー２４を使用することで、シガレット小包体１を遮蔽してマーカー２４が検出されるのを防止することはきわめて難しくなる。
【００３２】
したがって、これまで述べてきたシガレット小包体１は、マーカー２４を検出するための装置を備えた店舗からの万引きを効果的に防止する。
【００３３】
添付図面には、硬質包装材料シート（ブランク１８）をシガレット４の群３周りに折り曲げることにより形成された硬質容器２を具備する、硬質のシガレット小包体１が示される。変更可能には、シガレット小包体１は、軟質包被材料シートをシガレット４の群３周りに折り曲げることにより形成された軟質容器２を具備する軟質タイプのものでもよく、この場合、軟質容器２が蓋７またはカラー１５を有さないことは明らかである。
【００３４】
上述したシガレット小包体１の多数の利点によれば、小包体１の成形を、シガレット小包体の（硬質または軟質）カートンの製造にまで拡張して適用してもよく、このカートンの製造は、上述したような小包体１と実質的に同一であって、シガレットの群を収納するのではなくシガレット小包体の群を収納する点でしか違わない。
【図面の簡単な説明】
【００３５】
【図１】本発明によるシガレット小包体の、閉じた状態の斜視正面図を示す。
【図２】図１の小包体の開いた状態の斜視正面図を示し、マーカーの位置が別の場合を示している。
【図３】図１の小包体の閉じた状態の斜視背面図を示し、マーカーの位置が別の場合を示している。
【図４】ブランクの平面図を示し、このブランクから図１の小包体が製造される。
【図５】本発明によるシガレット小包体の他の実施例の斜視正面図を示す。
【図６】本発明によるシガレット小包体のさらに他の実施例の内部に収納されたシガレットの斜視図を示す。
【符号の説明】
【００３６】
１…包装体
２…容器
３…一群
４…シガレット
２４…マーカー
【図１】
2004196423.tif 000003
【図２】
2004196423.tif 000004
【図３】
2004196423.tif 000005
【図４】
2004196423.tif 000006
【図５】
2004196423.tif 000007
【図６】
2004196423.tif 000008
【外国語明細書】
2004196423000001.pdf